(57)【要約】【課題】  ＭＰＥＧ基板を介在して光ディスクドライブユニットとハードディスクドライブユニットとを直接的に接続可能とする。【解決手段】  筐体１内にハードディスクドライブユニット２と光ディスクドライブユニット３を並設する。ハードディスクドライブユニット２上に光ディスクドライブユニット３を制御するＭＰＥＧ基板３５を固定する。ＭＰＥＧ基板３５とハードディスクドライブユニット２とを連結する配線コード３７と、ＭＰＥＧ基板３５と光ディスクドライブユニット３とを接続するフレキシブルケーブル３６とをＭＰＥＧ基板３５に形成する導電路３９で電気的に接続する。導電路３９はマイコン１６と電気的に接続させ、マイコン１６によって、ＭＰＥＧ基板３５を中継して光ディスクドライブユニット３とハードディスクドライブユニット２とのデータ通信が可能である。【選択図】        図３
2006066000.tif 000002
【特許請求の範囲】
【請求項１】
映像信号と音声信号を含むＡＶ信号を記録するハードディスクドライブユニットと、光ディスクドライブユニットと、これらのドライブユニットを制御するマイコンを備えたメイン基板と、前記ハードディスクドライブユニット及び光ディスクドライブユニットからのデジタル信号を入力してこれら各ドライブユニットを制御するＭＰＥＧ基板とを筐体に収納した複合映像記憶再生機器において、前記ＭＰＥＧ基板と前記光ディスクドライブユニット及び前記ＭＰＥＧ基板とハードディスクドライブユニットとを接続するための配線部材を設け、これら配線部材を接続するための第1及び第２のコネクタを前記ＭＰＥＧ基板に形成するとともに、その第1及び第２のコネクタを電気的に接続する導電路を前記ＭＰＥＧ基板に形成し、この導電路と前記マイコンとを電気的に接続するように構成した特徴とする複合映像記憶再生機器。
【請求項２】
前記ハードディスクドライブユニットの上面に前記ＭＰＥＧ基板を平行に固定するとともに、前記ハードディスクドライブユニットと光ディスクドライブユニットとを並設し、前記光ディスクドライブユニット側に接続される前記第１のコネクタが光ディスクドライブユニットとハードディスクドライブユニットの隣接端部に取り付けられているとともに、ハードディスクドライブユニット側と接続される第２のコネクタは、ハードディスクドライブユニット側のコネクタと対応して前記ＭＰＥＧ基板の外端部に取り付けられていることを特徴とする請求項１記載の複合映像記憶再生機器。
【発明の詳細な説明】
【技術分野】
【０００１】
本発明は、ハードディスクドライブユニットと光ディスクドライブユニットとを備えた複合映像記憶再生機器、特に、ハードディスクドライブユニットと光ディスクドライブユニットとをＭＰＥＧ基板を中継して電気的に接続するように構成した複合映像記憶再生機器に関する。
【背景技術】
【０００２】
近年、ディスク装置は、ディスクプレーヤやＣＤプレーヤ等に限られず、テレビジョン受像機本体にも内蔵されるなど、その使用範囲は広範囲に及んでおり、特に、近年では光ディスク等の大容量の記録再生装置が実用化されると共に、これと従来使用されているビデオ記録再生装置とを備えた複合映像記録再生機器が例えば、特許文献１で提案されている。この複合映像記録再生機器は、磁気テープを有する磁気テープカセットを収納するための磁気テープカセット収納部と、前記磁気テープに対する記録および／または再生を行うためのヘッドと、少なくとも前記磁気テープに対する記録および／または再生を行うための電源を供給するための電源回路とを備え、前記ヘッドは、前記磁気テープカセット収納部の前記磁気テープの送り出し側または巻き取り側の何れか一方の側に配置され、前記電源回路は、前記一方とは異なる他方の側に配置されている。
【特許文献１】特開２００２−２３７１７６号公報
【発明の開示】
【発明が解決しようとする課題】
【０００３】
ところで、近年、記録再生装置として従来のビデオ記録再生装置に代わって映像信号と音声信号を含むＡＶ信号を記録するハードディスクドライブユニットが普及しつつあり、記録再生装置としてハードディスクドライブユニットと光ディスクドライブユニットなどの複数の記憶・再生装置を一つの筐体内に収納した複合映像記録再生機器も開発させている。このように、記録再生装置としてハードディスクドライブユニットと光ディスクドライブユニットとを搭載する場合、ハードディスクドライブユニットと光ディスクドライブユニットとのデータ通信は、図６に示すように、光ディスクドライブユニットＡと、その光ディスクドライブユニットＡからのデジタル信号を入力して光ディスクドライブユニットＡを制御するＭＰＥＧ基板Ｂとを接続し、さらに、このＭＰＥＧ基板ＢとハードディスクドライブユニットＣとを変換基板Ｄを中継して電気的に接続することによって成されている。
【０００４】
すなわち、ＭＰＥＧ基板Ｂから送られるデータが一旦、変換基板Ｄを中継してハードディスクドライブユニットＣへと送られることから、別途、変換基板Ｄが必要であり、部品点数の増加によって組付け作業が悪化するとともに、変換基板Ｄの実装スペースも必要となるため、装置全体の小型化並びに薄型化の妨げとなる。さらに、光ディスクドライブユニットＡ、ＭＰＥＧ基板Ｂ及びハードディスクドライブユニットＣの相互間の接続作業も煩雑となり、作業効率が低下する、という課題を有している。
【０００５】
本発明は、上記課題に鑑みてなされたもので、光ディスクドライブユニットとハードディスクドライブユニットとを筐体内の横方向に並設した構成であっても、光ディスクドライブユニットとハードディスクドライブユニットとのデータ通信するための部品点数を極力、削減して、組付け作業性の向上を図るとともに、これら光ディスクドライブユニットとハードディスクドライブユニットなどの接続作業を簡略化することができる複合映像記録再生機器を提供することを目的とする。
【課題を解決するための手段】
【０００６】
本発明の請求項１の複合映像記憶再生機器は、映像信号と音声信号を含むＡＶ信号を記録するハードディスクドライブユニットと、光ディスクドライブユニットと、これらのドライブユニットを制御するマイコンを備えたメイン基板と、前記ハードディスクドライブユニット及び光ディスクドライブユニットからのデジタル信号を入力してこれら各ドライブユニットを制御するＭＰＥＧ基板とを筐体に収納した複合映像記憶再生機器において、前記ＭＰＥＧ基板と前記光ディスクドライブユニット及び前記ＭＰＥＧ基板とハードディスクドライブユニットとを接続するための配線部材を設け、これら配線部材を接続するための第1及び第２のコネクタを前記ＭＰＥＧ基板に形成するとともに、その第1及び第２のコネクタを電気的に接続する導電路を前記ＭＰＥＧ基板に形成し、この導電路と前記マイコンとを電気的に接続するように構成したことを特徴とする。
【０００７】
請求項１の構成により、ハードディスクユニットと光ディスクドライブユニットとの共通の導電路を形成し、この導電路とマイコンとを電気的に接続することによって、ハードディスクドライブユニットと光ディスクドライブユニットとをＭＰＥＧ基板を中継して直接的に接続することが可能となる。
【０００８】
本発明の請求項２の複合映像記憶再生機器は、請求項１記載の複合映像記憶再生機器において、前記ハードディスクドライブユニットの上面に前記ＭＰＥＧ基板を平行に固定するとともに、前記ハードディスクドライブユニットと光ディスクドライブユニットとを並設し、前記光ディスクドライブユニット側に接続される前記第１のコネクタが光ディスクドライブユニットとハードディスクドライブユニットの隣接端部に取り付けられているとともに、ハードディスクドライブユニット側と接続される第２のコネクタは、ハードディスクドライブユニット側のコネクタと対応して前記ＭＰＥＧ基板の外端部に取り付けられていることを特徴とする。
【０００９】
請求項２の構成により、ＭＰＥＧ基板とハードディスクドライブユニットのコネクタが相互に近接した位置に配置され、一方、光ディスクドライブユニットと接続されるＭＰＥＧ基板のコネクタが光ディスクドライブユニットの隣接端部に位置しているので、ＭＰＥＧ基板とハードディスクドライブユニット及びＭＰＥＧ基板と光ディスクドライブユニットとの接続作業を簡略化することが可能となる。
【発明の効果】
【００１０】
本発明の請求項１の複合映像記憶再生機器によれば、映像信号と音声信号を含むＡＶ信号を記録するハードディスクドライブユニットと、光ディスクドライブユニットと、これらのドライブユニットを制御するマイコンを備えたメイン基板と、前記ハードディスクドライブユニット及び光ディスクドライブユニットからのデジタル信号を入力してこれら各ドライブユニットを制御するＭＰＥＧ基板とを筐体に収納した複合映像記憶再生機器において、前記ＭＰＥＧ基板と前記光ディスクドライブユニット及び前記ＭＰＥＧ基板とハードディスクドライブユニットとを接続するための配線部材を設け、これら配線部材を接続するための第1及び第２のコネクタを前記ＭＰＥＧ基板に形成するとともに、その第1及び第２のコネクタを電気的に接続する導電路を前記ＭＰＥＧ基板に形成し、この導電路と前記マイコンとを電気的に接続するように構成したものであるから、別途、変換基板を用いることなく、光ディスクドライブユニットまたはハードディスクユニットからＭＰＥＧ基板へのデータ通信が可能であり、部品点数の削減によって複合映像記録再生機器の小型化が可能となるとともに、組付け作業性にも優れる。
【００１１】
本発明の請求項２の複合映像記憶再生機器によれば、請求項１記載の複合映像記憶再生機器において、前記ハードディスクドライブユニットの上面に前記ＭＰＥＧ基板を平行に固定するとともに、前記ハードディスクドライブユニットと光ディスクドライブユニットとを並設し、前記光ディスクドライブユニット側に接続される前記第１のコネクタが光ディスクドライブユニットとハードディスクドライブユニットの隣接端部に取り付けられているとともに、ハードディスクドライブユニット側と接続される第２のコネクタは、ハードディスクドライブユニット側のコネクタと対応して前記ＭＰＥＧ基板の外端部に取り付けられているから、ハードディスクドライブユニットとＭＰＥＧ基板及び光ディスクドライブユニットとＭＰＥＧ基板との接続作業を効率的に行うことができるとともに、これら配線部材の長さを可及的に短く形成することができるから、これら配線部材から伝播するノイズを削減することも可能となる。
【発明を実施するための最良の形態】
【００１２】
以下、添付図面を参酌しながら、本発明を実施するための最良の形態としての実施例を説明する。
【００１３】
図１〜図５は本発明の一実施例を示しており、図１は、上面パネル１Ａを取り外した状態の複合映像記録再生機器の斜視図である。同図に示すように、複合映像再生機器の筐体１内には、ハードディスクドライブユニット２とこれより厚く形成された光ディスクドライブユニット３が横方向に並設されている。筐体１の前面パネル４には、光ディスクドライブユニット３のトレー５を出し入れするための挿入部７が形成されるとともにハードディスクドライブユニット２及び光ディスクドライブユニット３の表示管などからなる表示ユニット９及び記録再生を操作するための操作スイッチ１０、入出力端子１１などを備えたインターフェイスユニット１２が設けられている。
【００１４】
図２は各部の配置を概略的に示した平面図であり、図３は各部の配置を概略的に示した正面図であり、同図に示すように、メイン基板１５は、筐体１のシャーシ１Ｂに固定され、シャーシ１Ｂのほぼ中央部に位置して前記ハードディスクドライブユニット２が配置される。このハードディスクドライブユニット２は前記メイン基板１５上に固定され、そのハードディスクドライブユニット２の下部に位置して該ハードディスクドライブユニット２及び光ディスクドライブユニット３を含む複合映像記録再生機器を全体的に制御するマイコン１６を含むメインブロック１７が形成されている。メインブロック１７の一側部（図２において左側）にはハードディスクドライブユニット２及び光ディスクドライブユニット３に電源を供給する電源ブロック１８が形成され、さらに、メイン基板１５の前縁側には、前記表示ユニット９が設けられている。
【００１５】
前記ハードディスクドライブユニット２は、前記メイン基板１５と平行して固定され、該ハードディスクドライブユニットの上面には光ディスクドライブユニット３及びハードディスクドライブユニット２からのデジタル信号を入力してこれらドライブユニット２，３を制御するＭＰＥＧ基板３５がハードディスクドライブユニット２と平行して配置されている。このように、上下方向に並んだＭＰＥＧ基板３５とハードディスクドライブユニット２とが配線部材たる配線コード３７によって接続され、かつ、横方向に並設したＭＰＥＧ基板３５と光ディスクドライブユニット３とが配線部材たるフレキシブルケーブル３６によって接続されている。なお、図４で示すように、ＭＰＥＧ基板３５にはフレキシブルケーブル３６と配線コード３７を接続するための第１及び第２のコネクタ３６Ａ，３７Ａが設けられており、例えば４０ピンのコネクタ端子（図示せず）を備え、図５に示すように、これら第１及び第２のコネクタ３６Ａ，３７Ａのコネクタ端子をＭＰＥＧ基板３５に形成する導電路３９によって電気的に接続している。そして、その導電路３９と前記マイコン１６とが配線部材４５によって電気的に接続させている。なお、４０ピンのコネクタ端子を接続する導電路３９はコネクタ端子と同数、必要であるが、図５においては、その数を省略して簡略的に示している。これにより、マイコン１６と光ディスクドライブユニット３とハードディスクドライブユニット２とがＭＰＥＧ基板３５を中継して共通の導電路３９を介して電気的に接続され、マイコン１６によって光ディスクドライブユニット３とハードディスクドライブユニット２とのデータ通信が可能となる。なお、ＭＰＥＧ基板３５とハードディスクドライブユニット２とを接続するための第２のコネクタ３７Ａは、ＭＰＥＧ基板３５の後端縁に固定され、そのほぼ真下にハードディスクドライブユニット２のコネクタ４６が設けられているとともに、ＭＰＥＧ基板３５と光ディスクドライブユニット３とを接続するための第１のコネクタ３６Ａは、ＭＰＥＧ基板３５と光ディスクドライブユニット３との隣接端部となる図示左端縁に取り付けられている。
【００１６】
以上のように本実施例においては、ＭＰＥＧ基板３５に形成する第１及び第２のコネクタ３６Ａ，３７ＡをＭＰＥＧ基板３５に形成する導電路３９で電気的に接続し、その導電路３９にマイコン１６を電気的に接続するように構成したことにより、そのハードディスクユニット２と光ディスクドライブユニット３とを制御するマイコン１６が共通する導電路３９に電気的に接続されているから、従来のような変換基板を中継することなく、マイコン１６によってハードディスクユニット２及び光ディスクドライブユニット３を制御することが可能となる。これにより、光ディスクドライブユニット３からハードディスクユニット２への通信のために、従来のような変換基板が不要となり、光ディスクドライブユニット３とハードディスクユニット２とがＭＰＥＧ基板３５のみで電気的に接続されることになる。したがって、部品点数を削減することができ、変換基板の実装スペースを確保する必要がないから、複合映像記録再生機器の小型化及び薄型化が可能となるとともに、組付け作業性にも優れる。
【００１７】
また、ＭＰＥＧ基板３５とハードディスクドライブユニット２とを接続するための第２のコネクタ３７Ａは、ＭＰＥＧ基板３５の後端縁に固定され、そのほぼ真下にハードディスクドライブユニット２のコネクタ４６が設けられているとともに、ＭＰＥＧ基板３５と光ディスクドライブユニット３とを接続するための第１のコネクタ３６Ａは、ＭＰＥＧ基板３５と光ディスクドライブユニット３との隣接端部となる図示左端縁に取り付けられているから、ハードディスクドライブユニット２とＭＰＥＧ基板３５を接続する配線コード３７及び光ディスクドライブユニット２とＭＰＥＧ基板３５を接続するフレキシブルケーブル３６の接続作業を効率的に行うことができる。また、これら配線コード３７とフレキシブルケーブル３６の長さを可及的に短く形成することができるから、これら配線コード３７とフレキシブルケーブル３６から伝播するノイズの削減も可能となる。
【００１８】
以上、本発明の実施例について詳述したが、本発明は、前記実施例に限定されるものではなく、本発明の要旨の範囲内で種々の変形実施が可能である。例えば、ハードディスクドライブユニット２や光ディスクドライブユニット３の配置など適宜選定すればよい。
【図面の簡単な説明】
【００１９】
【図１】本発明の一実施例を示す複合映像記録再生機器の分解斜視図である。
【図２】同上、各部の配置を概略的に示す平面図である。
【図３】同上、各部の配置を概略的に示す正面図である。
【図４】同上、ハードディスクドライブユニットと光ディスクドライブユニットとの接続状態を示す概略説明図である。
【図５】同上、ＭＰＥＧ基板の構成を示す概略説明図である。
【図６】従来のハードディスクドライブユニットと光ディスクドライブユニットとの接続状態を示す概略説明図である。
【符号の説明】
【００２０】
１  筐体
２  ハードディスクドライブユニット
３  光ディスクドライブユニット
１５  メイン基板
１６  マイコン
３５  ＭＰＥＧ基板
３６  フレキシブルケーブル（配線部材）
３７  配線コード（配線部材）
３６Ａ  第1のコネクタ
３７Ａ  第２のコネクタ
３９  導電路
４６  ハードディスクドライブユニットのコネクタ
【図１】
2006066000.tif 000003
【図２】
2006066000.tif 000004
【図３】
2006066000.tif 000005
【図４】
2006066000.tif 000006
【図５】
2006066000.tif 000007
【図６】
2006066000.tif 000008